(57)【要約】【課題】  ラジエータの防塵ネットの塵埃をタイミングよく除去できるようにする。【解決手段】  走行車両（１）にラジエータ（７）を設け、ラジエータ（７）の防塵ネット（２８）の表面に縦長のブラシ（３１）を当接させながら電動モータ（３４）でブラシ（３１）を往復してスライド可能にした清掃装置（３０）を設け、清掃装置（３０）は、エンジンの始動から設定時間駆動したら停止することで、運転をするときには防塵ネット（２８）の塵埃詰りを防止する。【選択図】  図５
2013111044.tif 000002
【特許請求の範囲】
【請求項１】
走行車両にラジエータを設け、ラジエータの防塵ネットの表面に当接しながらスライド可能に構成した防塵ネットの清掃装置を設け、
走行車両のエンジンを駆動すると、防塵ネットの清掃装置が駆動することを特徴とする作業車両。
【請求項２】
清掃装置は、駆動を開始してから設定時間経過すると停止する構成としたことを特徴とする請求項１記載の作業車両。
【請求項３】
清掃装置は、縦長のブラシ等の弾性体と、該弾性体を往復移動させる電動モータとを備えたことを特徴とする請求項１又は請求項２記載の作業車両。
【請求項４】
弾性体の往復移動の速度を設定可能にする制御部を備えたことを特徴とする請求項３記載の作業車両。
【請求項５】
薬液を散布するブームを備え、該ブームを散布姿勢にすると清掃装置を駆動することを特徴とする請求項１から請求項４いずれか記載の作業車両。
【発明の詳細な説明】
【技術分野】
【０００１】
本発明は、トラクタや建機等の作業車両に関する。
【背景技術】
【０００２】
特許文献１には、ラジエータの防塵ネットをブラシで清掃する構成が記載されている。
【先行技術文献】
【特許文献】
【０００３】
【特許文献１】特許第4643511号公報
【発明の概要】
【発明が解決しようとする課題】
【０００４】
特許文献１においては、防塵ネットを清掃するためには、作業者がメンテナンス時に手動で開閉カバーを開ける必要があったため、清掃する機会が少なくなってしまう。本発明は、これら塵埃をタイミング良く除去することを課題とする。
【課題を解決するための手段】
【０００５】
本発明はかかる技術的課題を解決するために次のような技術的手段を講じる。
請求項１記載の発明は、走行車両（１）にラジエータ（７）を設け、ラジエータ（７）の防塵ネット（２８）の表面に当接しながらスライド可能に構成した防塵ネット（２８）の清掃装置（３０）を設け、走行車両（１）のエンジン（６）を駆動すると、清掃装置（３０）が駆動することを特徴とする作業車両とする。
【０００６】
すなわち、走行車両（１）のエンジン（６）が駆動すると、清掃装置（３０）が駆動して防塵ネット（２８）の表面に付着する塵埃を除去する。
請求項２記載の発明は、清掃装置（３０）は、駆動を開始してから設定時間経過すると停止する構成としたことを特徴とする請求項１記載の作業車両とする。
【０００７】
すなわち、オペレータが特に清掃装置（３０）の停止操作をしなくても自動的に停止する。
請求項３記載の発明は、清掃装置（３０）は、縦長のブラシ（３１ａ，３１ｂ）等の弾性体（３１）と、該弾性体（３１）を往復移動させる電動モータ（３４）とを備えたことを特徴とする請求項１又は請求項２記載の作業車両とする。
【０００８】
請求項４記載の発明は、弾性体（３１）の往復移動の速度を設定可能にする制御部（１６）を備えたことを特徴とする請求項３記載の作業車両とする。
すなわち、走行場所の塵埃の多寡の状況に応じて弾性体（３１）の移動速度を可変して清掃能力を変更することができる。
【０００９】
請求項５記載の発明は、薬液を散布するブーム（３）を備え、該ブーム（３）を散布姿勢にすると清掃装置（３０）を駆動することを特徴とする請求項１から請求項４いずれか記載の作業車両とする。
【００１０】
実際の圃場での作業時に清掃を行うことで効果的に防塵ネット（２８）の塵埃を除去することができる。
【発明の効果】
【００１１】
本発明により、防塵ネットの塵埃をタイミング良く除去することができる。
【図面の簡単な説明】
【００１２】
【図１】乗用管理機の側面図
【図２】乗用管理機の平面図
【図３】正面から見た乗用管理機の散布姿勢を示す図
【図４】伝動経路及び薬液の供給経路を示す図
【図５】正面側から見たラジエータ及び清掃装置を説明する図
【図６】側面から見たラジエータ及び清掃装置を説明する図
【発明を実施するための形態】
【００１３】
本発明の実施の形態の作業車両について、薬液を散布する乗用管理機に基づいて以下説明する。本実施の形態では走行車両の進行方向側を前側と呼ぶ。
本実施の形態の乗用管理機は、走行車両１に薬液を貯留する薬液タンク２と、薬液を散布するときに走行車両１の左右両側に延びるブーム３を搭載している。
【００１４】
走行車両１は前輪４と後輪５とを備え、前部にはエンジン６やラジエータ７を備え、その周囲をボンネット８で覆っている。ボンネット８の後方にはステップ９及びステアリングハンドル１０及び運転座席１１を設け、運転座席１１の後方の機体フレーム１２には薬液タンク２を搭載している。
【００１５】
ブーム３は薬液を散布する多数のノズル１３を備え、図１及び図２に示すブーム受け１４で支持する後ろ傾斜姿勢の収納状態と、図３に示す左右水平姿勢の散布状態に伸縮シリンダ４１で姿勢変更可能に構成している。ブーム３が散布状態の姿勢か否かの検出はブーム姿勢検出センサ４２の検出結果による。
【００１６】
運転座席１１の左右一側には薬液の散布やブーム３の姿勢を変更する各種操作スイッチを設ける操作盤１５を設け、操作盤１５の内部には、各種制御する制御部１６を内蔵している。運転座席１１の前側にはメータパネル１７を設け、エンジン６を始動させるキースイッチ１８を設けている。
【００１７】
薬液を散布する経路及びエンジン６の伝動経路について図４に基づき説明する。
薬液タンク２とブーム３の間には、薬液をブーム３まで流すホース１９を設け、ホース１９の途中には薬液を送り出す防除ポンプ２０や、薬液の供給又は停止を選択するコック２１や、流量を調節する流量制御弁２２等を備えている。
【００１８】
エンジン６の駆動は入力軸２３から走行車両１のミッションケース２４に伝達し、走行系の駆動軸２５や防除ポンプ２０に伝動している。エンジン６の前側には冷却ファン２６を設け、冷却ファン２６の前側にはラジエータ７を設け、ラジエータ７の前側には後述する清掃装置３０を設けている。
【００１９】
乗用管理機の散布作業に付いて説明する。
オペレータは運転座席１１に着座し、キースイッチ１８を操作すると、エンジン６が始動する。そして、適宜アクセルや前後進レバー（図示せず）等を操作して走行し、圃場に到着すると、ブーム３を収納姿勢から薬液散布姿勢に変更し、図３に示すように圃場の作物間を走行しながら薬液を散布する。
【００２０】
清掃装置３０の構成について、図５及び図６に基づいて説明する。
ラジエータ７の正面側に、ラジエータ７の防塵ネット２８を設け、メッシュ状に形成する防塵ネット２８の表面に沿って左右方向スライドする清掃装置３０を設けている。清掃装置３０は縦長のブラシ３１と、ブラシ３１を取付けるベースプレート３２を設け、ベースプレート３２の上方にはリードカム３３を設け、リードカム３３の左右一側にはリードカム３３を回転駆動する電動モータ３４を設けている。電動モータ３４はラジエータ７と正面視でラップする位置に設け、リードカム３３の左右一端に備える伝動ケース３８を介してリードカム３３を回転駆動させる構成である。
【００２１】
本実施の形態のブラシ３１は左右方向に一対に並列する第一ブラシ３１ａと第二ブラシ３１ｂとを設け、第一ブラシ３１ａと第二ブラシ３１ｂは、ベースプレート３２の左右両端部にそれぞれ取付け、第一ブラシ３１ａと第二ブラシ３１ｂとの間には冷却ファン２６の吸引風が通風可能な空間部３２ａを形成している。ベースプレート３２は、リードカム３３に取り付ける第一ボス３５とベースプレート３２を支持するための支持軸３６に取り付ける第二ボス３７を連結している。図５では第一ブラシ３１ａと第二ブラシ３１が分かりやすいようにハッチングを付している。また、防塵ネット２８はラジエータ７の前面を覆うものであるが、図５では一部だけ模様を図示している。
【００２２】
次に清掃装置３０の作用について説明する。
オペレータは、運転座席１１に着座し、キースイッチ１８を操作することでエンジン６を始動する。すると、制御部１６により電動モータ３４が駆動し、リードカム３３が回転駆動し、第一ボス３５がリードカム３３に沿って移動すると共に、第二ボス３７が支持軸３６に沿って摺動することで、ベースプレート３２が左右方向に往復移動する。すると、ブラシ３１が防塵ネット２８の表面に当接することで、防塵ネット２８の表面に付着する塵埃を掻き取る。本実施の形態のブラシ３１によると、第一ブラシ３１ａが作用して塵埃を掻き取った直後に、第二ブラシ３１ｂが作用することで塵埃の掻き取り効果を大きくすることができる。また、ベースプレート３２は往復移動するため、反対方向に移動するときには第二ブラシ３１ｂが作用して塵埃を掻き取った直後に、第一ブラシ３１ａが作用することで塵埃の掻き取り効果を大きくすることができる。また、第一ブラシ３１ａ及び第二ブラシ３１ｂはそれぞれ防塵ネット２８の左右端部までいずれかが到達する構成にすることで、防塵ネット２８を隅々まで清掃できる。
【００２３】
清掃装置３０はキースイッチ１８を操作してエンジンが始動してから設定時間（例えば３０秒）駆動した後停止する。そのため、運転の開始毎に防塵ネット２８を清掃することができるため、防塵ネット２８が埃で詰ることによるラジエータ７の機能の低下を防止することができる。
【００２４】
また、オペレータは、特にメンテナンスでボンネット８を開けることなく通常の運転操作で防塵ネット２８を清掃することができるため、メンテナンスを忘れていても清掃が可能となる。
【００２５】
清掃装置３０を駆動するタイミングであるが、エンジン６始動時以外に、例えば、操作盤１５に清掃スイッチ（図示せず）を設け、オペレータが清掃スイッチ（図示せず）を適宜操作すると清掃装置３０が駆動する構成にしても良い。この構成によると、オペレータはボンネット８を開けなくてもラジエータ７の防塵ネット２８を清掃することができるため、安全である。さらに、走行中でも清掃可能なため、運転中にラジエータ７の状態が気になった時に清掃することができる。または、エンジン６を始動し、走行を開始したことを検出（走行車輪の回転又は前後進レバーの操作）してから清掃装置３０を駆動しても良い。
【００２６】
または、ブーム３を散布姿勢にすると、清掃装置３０を設定時間駆動する構成にしても良い。ブーム３の散布姿勢の検出とはブーム姿勢検出センサ４２がブーム３の水平を検出するか、操作盤１５のブーム操作レバー（図示せず）を操作したことを検出した場合である。この構成によると、特に塵埃が付着しやすい圃場において、散布時に清掃することができるため、効果的に防塵ネット２８の清掃が行える。
【００２７】
また、清掃装置３０の往復速度や駆動時間を可変に設定することを可能にしても良い。すなわち、圃場の塵埃の発生量や作物に付着する害虫等の状況に応じて、清掃動作を変更可能に構成することで、圃場に適した清掃を行うことが可能となる。設定の変更はオペレータが任意に制御部１６を操作することで設定変更が可能である。また、電動モータ３４を可変速のモータに設けておくと良い。
【００２８】
本実施の形態では、清掃装置３０は独立の電動モータ３４で駆動する構成としているが、ミッションケースから動力を取り出す構成とし、クラッチ（図示せず）で入り切りする構成でも良い。
【００２９】
次に、ベースプレート３２の着脱について説明する。
ベースプレート３２に取り付けているブラシ３１は使用と共に磨耗するため、定期的にブラシ３１を交換する必要がある。ベースプレート３２と第二ボス３７とをボルト４０で着脱可能に固定する。ボンネット８を外してボルト４０を外すとベースプレート３２が外れて取り出し、ブラシ３１を交換することができる。簡単な構成及び操作でブラシ３１を交換することができる。
【産業上の利用可能性】
【００３０】
本実施の形態のラジエータの防塵ネットの清掃装置は、ラジエータ等の熱交換器を搭載した走行車両全般に適用できる。中でも、塵埃等が多く発生する中を走行する建設機械やトラクタやコンバイン等の農業機械用の作業車両に適している。
【符号の説明】
【００３１】
１  走行車両
３  ブーム
６  エンジン
７  ラジエータ
１６  制御部（コントローラ）
２８  防塵ネット
３０  清掃装置
３１  弾性体（ブラシ）
３４  電動モータ
【図１】
2013111044.tif 000003
【図２】
2013111044.tif 000004
【図３】
2013111044.tif 000005
【図４】
2013111044.tif 000006
【図５】
2013111044.tif 000007
【図６】
2013111044.tif 000008